(57)【要約】      （修正有）【課題】折り込み部分の厚みを低減できる少なくとも６つの葉書サイズの紙片が連結される隠蔽葉書を提供する。【解決手段】隠蔽葉書は、６つの葉書サイズの紙片１１〜１６が連結されたシート１０と、紙片の片面と当該紙片に隣接する紙片の片面とを接着する再剥離性粘着剤とを備える。再剥離性粘着剤は、紙片１１の裏面１１Ｂと紙片１２の裏面１２Ｂとを、紙片１２の表面１２Ａと紙片１３の表面１３Ａとを、紙片１３の裏面１３Ｂと紙片１４の裏面１４Ｂとを、紙片１４の表面１４Ａと紙片１５の表面１５Ａとを、紙片１５の裏面１５Ｂと紙片１６の裏面１６Ｂとを、それぞれ剥離可能に接着する。【選択図】図４
0003142175.tif 000002
【実用新案登録請求の範囲】
【請求項１】
少なくとも６つの葉書サイズの紙片が直列に連結されたシートと、
再剥離性粘着剤によって、前記シートを構成する前記各々の紙片の片面と前記各々の紙片に隣接する他の紙片の片面とが接着される
隠蔽葉書。
【請求項２】
前記シートの端に配置される少なくとも１つの紙片が有する各々の短辺の長さが、他の紙片が有する各々の短辺の長さよりも短い
請求項１に記載の隠蔽葉書。
【請求項３】
前記シートの端に配置される紙片の各々の短辺の長さと前記紙片に隣接して前記紙片の片面と接着される他の紙片の各々の短片の長さとの差によって生じる前記他の紙片の露出領域の少なくとも一部が、前記シートの端に配置される紙片を剥離する起点を案内する表示部である
請求項２に記載の隠蔽葉書。
【考案の詳細な説明】
【技術分野】
【０００１】
本考案は、広告や個人情報等の情報を隠蔽することができる葉書に関する。
【背景技術】
【０００２】
従来より、葉書に印刷される広告や個人情報等の情報を保護しながら送付することができる隠蔽葉書が採用されている。例えば、表面が往信用葉書の宛名面で裏面が返信用葉書の文面である第１紙片と、表面が往信用葉書の文面で裏面が返信用葉書の宛名面である第２紙片と、表裏面に再剥離接着剤が塗布された接着紙片を備えた特許文献１に記載の技術が開示されている。
【０００３】
この特許文献１に記載の技術は、第１紙片の表面と第２紙片の表面とが表示されるように３枚の紙片形状に貼り合わせた後、巻き三つ折りをすることにより往信用葉書として形成される。また、往信用葉書として利用された葉書を展開した後、第１紙片の裏面と第２紙片の裏面とが表示されるように３枚の紙片形状に貼り合わせた後、巻き三つ折りをすることにより返信用葉書として形成される。
【特許文献１】実用新案登録第３１３８０１４号公報
【考案の開示】
【考案が解決しようとする課題】
【０００４】
しかしながら、上記特許文献１に記載の技術では、３枚の紙片形状に貼り合わせた後、巻き三つ折りをすることにより葉書を形成しているため、折り込み部分に厚みが生じ、特に６つ以上の葉書サイズの紙片で葉書を形成すること困難であるという問題が生じる。
【０００５】
本考案は、上述の問題を解決するものであり、折り込み部分の厚みを低減できる少なくとも６つの葉書サイズの紙片が連結される隠蔽葉書を提供することを目的とする。
【課題を解決するための手段】
【０００６】
本考案の１つの隠蔽葉書案は、少なくとも６つの葉書サイズの紙片が直列に連結されたシートと、再剥離性粘着剤によって、そのシートを構成する各々の紙片の片面とその各々の紙片に隣接する他の紙片の片面とが接着されている。
【考案の効果】
【０００７】
本考案の隠蔽葉書によれば、葉書の表裏を合わせて１２面以上の表示領域が得られるため、従来と比較にならない量の広告等の情報が記載され得る。また、そのシートを構成する各々の紙片の片面とその各々の紙片に隣接する他の紙片の片面とが接着されるため、折り込み部分の厚みを大幅に低減することができる。
【考案を実施するための最良の形態】
【０００８】
つぎに、本考案の実施形態を、添付する図面に基づいて詳細に述べる。尚、この説明に際し、全図にわたり、特に言及がない限り、共通する部分には共通する参照符号が付されている。また、各図面を見やすくするために、本実施形態の各要素は必ずしもスケール通りに示されていない。また、同様の理由により、一部の符号が省略されうる。
【０００９】
＜第１の実施形態＞
図１Ａは、第１の実施形態に係る隠蔽葉書１を示す斜視図である。図１Ｂは、図１ＡのＸ部の拡大図である。また、図２は、隠蔽葉書１を展開した状態の表面図であり、図３は、隠蔽葉書１を展開した状態の裏面図である。さらに、図４は、シート１０の折れ線３１〜３５に折り目が付される状態を示す図である。
【００１０】
第１の実施形態に係る隠蔽葉書１は、６つの葉書サイズの紙片１１〜１６が連結されたシート１０と、ある１つの紙片の片面とその紙片に隣接する他の紙片の片面とを接着する透明な再剥離性粘着剤２０とを備える。ここで、本実施形態の再剥離性粘着剤２０には、公知の材料が適用され得る。公知の再剥離性粘着剤の一例として、特開平１１−２８６１９１号公報に開示される接着剤が挙げられる。なお、再剥離性粘着剤２０は、通常の状態では接着しないが、接着剤層同士を対向させた状態で加圧することによって接着性が生じる一方、接着後は再剥離が可能な材料である。従って、各図面において再剥離性粘着材２０が図示されているが、実際には、紙片同士の圧着によって実質的に視認されない状態になる。
【００１１】
さて、本実施形態のシート１０は、連結される６つの葉書サイズの紙片１１〜１６により構成されている。この紙片１１〜１６は、それぞれ表面１１Ａ〜１６Ａと裏面１１Ｂ〜１６Ｂとを備える。これらの紙片１１〜１６の境界には、折り目３１〜３５が設けられる。また、紙片１１〜１３は往信用の紙片として使用され、紙片１４〜１６は返信用の紙片として使用される。さらに、好ましくは、往信用の紙片と返信用の紙片との境界に設けられる折り目３３に、ミシン目状の孔の列が形成される。このように、折り目３３にミシン目状の孔の列を形成すると、往信用の紙片と返信用の紙片とを容易に切り離すことができる。
【００１２】
上述のとおり、再剥離性粘着剤２０は、シート１０を構成する任意の１つの紙片の片面とその紙片に隣接する他の紙片の片面とを剥離可能に接着する。具体的には、図４に示すように、紙片１１の裏面１１Ｂと紙片１２の裏面１２Ｂは、それらの間に再剥離性粘着剤２０が介在することによって圧着される。同様に、紙片１２の表面１２Ａと紙片１３の表面１３Ａとが圧着され、紙片１４の表面１４Ａと紙片１５の表面１５Ａとが圧着され、紙片１５の裏面１５Ｂと紙片１６の裏面１６Ｂとが圧着される。なお、紙片１３の裏面１３Ｂと紙片１４の裏面１４Ｂとは、圧着されていない。これは、例えば、紙片１４の裏面１４Ｂ上に、返信用葉書の表紙として宛名等の記載がされるためである。上述の通り、圧着される対象面上に再剥離性粘着剤２０が塗布等によって形成されることにより、６つの紙片１１〜１６が、見開き可能な往復はがきとして、極めて薄く一体化される。本実施形態の一体化されたシート１０の厚みは、約０．８ｍｍである。
【００１３】
ところで、返信用の紙片１４の表面１４Ａと紙片１５の表面１５Ａとを接着する再剥離性粘着剤２０、及び紙片１５の裏面１５Ｂと紙片１６の裏面１６Ｂとを接着する再剥離性粘着剤２０は、再接着可能な再剥離性粘着剤であることが好ましい。返信用の紙片１４〜１６の接着に再接着可能な再剥離性粘着剤を用いれば、返信者が再度接着剤を塗布するという負担を削減することができる。
【００１４】
上述のとおり、隠蔽葉書１は、シート１０を構成する任意の１つの紙片の片面とその紙片に隣接する他の紙片の片面とを圧着によって接着させることから、本実施形態のように６つの紙片が重なっても折り込み部分の厚みを低減できる。このため、６つ以上の葉書サイズの紙片でシートを構成しても、十分に薄い隠蔽葉書を製造することが可能となる。さらに、１つの隠蔽葉書１内に、従来と比較にならない程の多量の情報を隠蔽葉書に記載することができる。
【００１５】
＜第２の実施形態＞
図５Ａは、第２の実施形態に係る隠蔽葉書２を示す斜視図である。図５Ｂは、図５ＡのＹ部の拡大図である。また、図６は、隠蔽葉書２を展開した状態の表面図であり、図７は、隠蔽葉書２を展開した状態の裏面図である。
【００１６】
第２の実施形態の隠蔽葉書２は、図６及び図７に示すように、シート１００の一方の端に配置される紙片１１１の短辺の長さＳ１が、他の紙片１１２〜１１６の短辺の長さＳ２〜Ｓ６よりも短い点を除き、第１の実施形態の隠蔽葉書１と同じ構成を備える。従って、重複する説明は省略される。
【００１７】
本実施形態のシート１００は、連結される６つの葉書サイズの紙片１１１〜１１６により構成されている。この紙片１１１〜１１６は、それぞれ表面１１１Ａ〜１１６Ａと裏面１１１Ｂ〜１１６Ｂとを備える。これらの紙片１１１〜１１６の境界には、折り目１３１〜１３５が設けられる。また、本実施形態の隠蔽葉書２は、図５Ａ及び図５Ｂに示すように、シート１００の一方の端に配置された紙片１１１の短辺の長さＳ１と他の紙片の短片の長さＳ２〜Ｓ６との差により、紙片１１１に隣接する紙片１１２の端部の一定の領域が露出領域１４０となっている。本実施形態では、この露出領域１４０の少なくとも一部が、シート１００の端に配置された紙片１１１を剥離する起点を案内する表示部１４１なっている。
【００１８】
なお、本実施形態では、前述の露出領域１４０を利用して、シート１００の端に配置された紙片１１１を剥離する起点を案内しているが、これに限定されない。この露出領域１４０の形成による紙片１１１と紙片１１２との間で生じる段差は、たとえ１片の紙片の厚みが約０．１３ｍｍと薄くても、人間の触感で感じることができる場合がある。従って、上述のような表示部に頼らずに、剥離の起点が感知され得る。
【００１９】
特に本実施形態では、紙片１１１の長辺全体に至る領域が十分な幅とともに確保されることによって剥離の起点となり得るため、従来の角部のみに剥離の起点が限定されていた隠蔽葉書と比較して、剥離操作をする者の利便性がすこぶる高まる。本実施形態では、前述の幅、換言すれば、紙片１１１の短辺の長さＳ１と他の紙片の短片の長さＳ２〜Ｓ６との差は、５ｍｍである。この差は、剥離の操作性及び表示量の充実を図る観点から、１．５ｍｍ以上が好ましい。但し、過度に露出領域１４０が広くなると、宛名等の必要な記載ができなくなるため、前述の差は、８ｍｍ以下が好ましい。
【００２０】
勿論、本実施形態の隠蔽葉書２は、紙片１１２の露出領域１４０内に、表示部１４１を設けているから、剥離操作者が紙片１１１を剥離する起点をさらに容易に見出すことができる。すなわち、視覚に訴えることが最も効果的であるから、表示部１４１の効果は絶大である。さらに、その表示部１４１は、紙片１１１の剥離の起点の案内のみならず、企業広告等の目立つ図柄や文字を併せて表示することができる。この企業広告等の存在は、剥離操作者に更に強い剥離位置の意識付けとなり得る。
【００２１】
ところで、この隠蔽葉書２は、第１の実施形態の隠蔽葉書１と同様に、６つ以上の葉書サイズの紙片でシートを構成しても、十分に薄い隠蔽葉書を製造することが可能となる。
【００２２】
また、従来の隠蔽葉書であれば、多くの情報を記載するために、露出領域を角部のような極めて限定された領域に形成する必要があった。しかしながら、本実施形態の隠蔽葉書２であれば、図５Ａ及び図５Ｂに示すように紙片１１１の長辺全体に至る露出領域１４０が十分な幅を伴って形成されても、従来の隠蔽葉書と比較して依然として十分な広告等の情報記載領域が確保される。従って、本実施形態は、隠蔽葉書２の剥離を極めて容易にすること及び十分な情報量の記載領域を確保することを同時に達成することが可能である。
【００２３】
＜第３の実施形態＞
図８Ａは、第３の実施形態の隠蔽葉書３を表側から示す斜視図である。図８Ｂは、図８ＡのＺ部の拡大図である。また、図９は、隠蔽葉書３を裏側から示す斜視図である。また、図１０は、隠蔽葉書３を展開した状態の表面図であり、図１１は、隠蔽葉書３を展開した状態の裏面図である。
【００２４】
第３の実施形態に係る隠蔽葉書３は、シート２００の端に配置された紙片２１１及び紙片２１６の短辺の長さＴ１及びＴ６が他の紙片２１２〜２１５の短辺の長さＴ２〜Ｔ５よりも短い点を除き、第２の実施形態の隠蔽葉書２と同じ構成を備える。従って、重複する説明は省略される。
【００２５】
本実施形態のシート２００は、連結される６つの葉書サイズの紙片２１１〜２１６により構成されている。この紙片２１１〜２１６は、それぞれ表面２１１Ａ〜２１６Ａと裏面２１１Ｂ〜２１６Ｂとを備える。これらの紙片２１１〜２１６の境界には、折り目２３１〜２３５が設けられる。また、この隠蔽葉書３は、図８Ａ及び図８Ｂに示すように、シート２００の一方の端に配置された紙片２１１の短辺の長さＴ１と他の紙片の短片の長さＴ２〜Ｔ５との差により、紙片２１１に隣接する紙片２１２の端部の一定の領域が露出領域２４０となっている。本実施形態では、この露出領域２４０の少なくとも一部が、シート２００の端に配置された紙片２１１を剥離する起点を案内する表示部２４１なっている。
【００２６】
さらに、本実施形態では、図９に示すように、シート２００の他方の端に配置された紙片２１６の短辺の長さＴ６と他の紙片の短片の長さＴ２〜Ｔ５との差により、紙片２１６に隣接する紙片２１５の端部の一定の領域が露出領域２５０となっている。本実施形態では、この露出領域２５０の少なくとも一部が、シート２００の端に配置された紙片２１６を剥離する起点を案内する表示部２５１なっている。
【００２７】
本実施形態の隠蔽葉書３は、紙片２１１の露出領域２４０内に、表示部２４１を設けているから、剥離操作者が紙片２１１を剥離する起点を非常に容易に見出すことができる。さらに、隠蔽葉書３は、表示部２５１を備えることから、剥離操作者が紙片２１６を剥離する起点を非常に容易に見出することができる。
【００２８】
なお、上述の各実施形態では、圧着によって各紙片が接着されていたが、これに限定されない。その他の公知の接着手段も適用されうる。しかしながら、６つ以上の紙片を極めて薄くなるように一体化させるためには、圧着による接着が最も好ましい。また、上述の各実施形態では、往復はがきの例を示したが、これに限定されない。例えば、第１の実施形態において、紙片１３の裏面１３Ｂと紙片１４の裏面１４Ｂとを圧着すれば、６つの紙片１１〜１６の全てが極めて薄く一体化される。
【００２９】
また、上述した各実施形態においては、連結される６つの紙片により構成されているシートを用いた場合が説明されているが、これに限定されない。連結される紙片の数が７つ又は８つ以上の紙片により構成されるシートが採用されても、本考案の効果と同様の効果が奏される。以上、述べたとおり、本考案の範囲内に存在する変形例もまた、実用新案登録請求の範囲に含まれるものである。
【産業上の利用可能性】
【００３０】
本考案に係る隠蔽葉書は、折り込み部分の厚みを低減でき、広告や個人情報等の情報を隠蔽することができる葉書等として広く利用され得る。
【図面の簡単な説明】
【００３１】
【図１Ａ】本発明の１つの実施形態における隠蔽葉書を示す斜視図である。
【図１Ｂ】図１ＡのＸ部の拡大図である。
【図２】本発明の１つの実施形態における隠蔽葉書を展開した状態の表面図である。
【図３】本発明の１つの実施形態における隠蔽葉書を展開した状態の裏面図である。
【図４】本発明の１つの実施形態における隠蔽葉書を構成するシートの折れ線に折り目が付される状態を示す図である。
【図５Ａ】本発明の他の実施形態における隠蔽葉書を示す斜視図である。
【図５Ｂ】図５ＡのＹ部の拡大図である。
【図６】本発明の他の実施形態における隠蔽葉書を展開した状態の表面図である。
【図７】本発明の他の実施形態における隠蔽葉書を展開した状態の裏面図である。
【図８Ａ】本発明の他の実施形態における隠蔽葉書を表側から示す斜視図である。
【図８Ｂ】図８ＡのＺ部の拡大図である。
【図９】本発明の他の実施形態における隠蔽葉書を裏側から示す斜視図である。
【図１０】本発明の他の実施形態における隠蔽葉書を展開した状態の表面図である。
【図１１】本発明の他の実施形態における隠蔽葉書を展開した状態の裏面図である。
【符号の説明】
【００３２】
１，２，３      隠蔽葉書
１０，１００，２００    シート
１１，１２，１３，１４，１５，１６，１１１，１１２，１１３，１１４，１１５，１１６，２１１，２１２，２１３，２１４，２１５，２１６      紙片
２０            再剥離性粘着剤
３１，３２，３３，３４，３５，１３１，１３２，１３３，１３４，１３５，２３１，２３２，２３３，２３４，２３５      折り目
１４０，２４０，２５０    露出領域
１４１，２４１，２５１    表示部
【図１Ａ】
0003142175.tif 000003
【図１Ｂ】
0003142175.tif 000004
【図２】
0003142175.tif 000005
【図３】
0003142175.tif 000006
【図４】
0003142175.tif 000007
【図５Ａ】
0003142175.tif 000008
【図５Ｂ】
0003142175.tif 000009
【図６】
0003142175.tif 000010
【図７】
0003142175.tif 000011
【図８Ａ】
0003142175.tif 000012
【図８Ｂ】
0003142175.tif 000013
【図９】
0003142175.tif 000014
【図１０】
0003142175.tif 000015
【図１１】
0003142175.tif 000016